(57)【要約】【課題】  コントロールＰＣから撮影用カメラの撮影モード（撮影パラメータ）を変更し、該撮影モードの間、該撮影パラメータを保持することで最適な撮像を実現する。【解決手段】  電子撮像素子を有する撮像ヘッド、該撮像ヘッドを制御するコントロール用ＰＣ、該撮像ヘッドと該コントロールＰＣを結ぶ通信経路、該コントロールＰＣ上に配された撮影種別切り替え操作部、該撮像ヘッドの撮影パラメータ変更手段。【選択図】  図１
2005094538.tif 000002
【特許請求の範囲】
【請求項１】
電子画像を生成する撮像ヘッドと該撮影ヘッドをコントロールするコントロール用ＰＣからなる眼科画像生成システムにおいて、
撮像ヘッドとコントロールＰＣ間を結ぶ通信経路と、
各々に配された画像の撮影種別の切り替えを行う２つの操作部と、
該操作部の操作が行われた際、操作が行われた側から他方へ撮影種別情報を送信する通信制御部とを有し、
前記撮像ヘッドとコントロールＰＣは前記操作部位の出力もしくは該通信制御部により受信された撮影された撮影種別情報により各々が撮影に関連した動作を切り替えることを特徴とする眼科画像生成システム。
【請求項２】
前記撮像ヘッドはコントロールＰＣとの接続が無い場合において、フィルム撮影が可能であり、
かつ、前記送信される撮影種別情報は、前記ＰＣから前記撮像ヘッドへの送信の場合において、撮影モードの切り替え依頼であり、
該撮影モード切替を受け取った撮像ヘッドは撮影モードを切り替えた後、撮影モードの切り替え通知を前記コントロールＰＣへ送信することを特徴とする第一項記載の装置。
【請求項３】
前記コントロールＰＣは前記撮影種別情報を有する検査依頼情報を生成又は受信する検査依頼管理手段を有し、前記検査管理手段の出力により前記撮影種別情報を発生することを特徴とする第一項記載の装置。
【発明の詳細な説明】
【技術分野】
【０００１】
本発明は、眼科画像を生成するシステム、より詳しくは、検査情報を病院情報システムよりネットワークを介して受信し、その検査情報を元に撮影する画像の種別を決定する眼科画像生成システムに関する。
【背景技術】
【０００２】
検査情報を上流である病院内の情報システムなどから受信し、その情報に基づき医療画像の撮影し、撮影した画像を再びネットワーク上にある画像サーバへ保存するような画像生成保管システムは主にＸ線画像を中心に設計され、撮影手技が標準化されているＸ線画像の場合では、装置自体で検査の種別を決定することは許されていないことが通例である。
【特許文献１】特開平６−２０２２５４
【発明の開示】
【発明が解決しようとする課題】
【０００３】
モノクロ画像がほとんどであるＸ線画像機器と異なり、眼科画像生成装置では、
眼底カメラやスリットランプのように通常のカラー撮影のほか蛍光撮影、特殊フィルタ撮影など、眼底撮影ではさらにＩＣＧ撮影のように多彩な撮影手技（撮影種別）が存在する。
【０００４】
かつこの検査自体は検査を行う医師がその場で臨機応変にその手技、撮影倍率・撮影部位（左右眼の交替を含む）・撮影枚数を選び撮影していた。
【０００５】
従って、そのような装置への検査依頼には撮影条件と呼べる上記の条件全てが検査情報に必ずしも記載されているとは限らない。
【０００６】
装置自体の操作によって撮影種別が決定できる構成が通例。
【０００７】
従って上述のようなＸ線画像を中心に考えられた画像生成・保管システムに従来からある眼底カメラのような眼科画像機器を接続する場合、Ｘ画像用に設計されたシステムと、従来からある眼科機器の操作との整合性を取ることは難しかった。
【０００８】
本発明の目的は、上述した課題の解決であって、種々の撮影種別を持つ眼科画像生成装置において、装置自体の操作によって撮影種別が決定できる構成を維持したまま、上流から決定される検査依頼項目に従った撮影が出来き、かつ撮影時点でも臨機応変にその手技、撮影倍率・撮影部位（左右眼の交替を含む）・撮影枚数を選び最適な撮影条件を決定できるシステムの構築を目的とする。
【課題を解決するための手段】
【０００９】
本発明のシステムは、電子画像を生成する撮像ヘッドと該撮影ヘッドをコントロールするコントロール用ＰＣからなる眼科画像生成システムであって、撮像ヘッドとコントロールＰＣ間を結ぶ通信経路と、各々に配された画像の撮影種別（たとえばＣｏｌｏｒ／ＦＡ／ＩＣＧ、その内容については後述する。）の切り替えを行う２つの操作部と、該操作部の操作が行われた際、操作が行われた側から他方へ撮影種別情報を送信する通信制御部とを有し、前記撮像ヘッドとコントロールＰＣは前記操作部位の出力もしくは該通信制御部により受信された撮影された撮影種別情報により各々が撮影に関連した動作を切り替えることを可能とする。さらには、撮像ヘッドはコントロールＰＣとの接続が無い場合において、フィルム撮影が可能であり、かつ、前記送信される撮影種別情報は、前記ＰＣから前記撮像ヘッドへの送信の場合において、撮影モードの切り替え依頼であり、該撮影モード切替を受け取った撮像ヘッドは撮影モードを切り替えた後、撮影モードの切り替え通知を前記コントロールＰＣへ送信可能である。また、前記コントロールＰＣは前記撮影種別情報を有する検査依頼情報を生成又は受信する検査依頼管理手段を有し、前記検査管理手段の出力により前記撮影種別情報を発生することも可能である。
【発明の効果】
【００１０】
以上説明したように、本発明による眼科画像生成システムでは、電子画像を生成する撮像ヘッドと該撮影ヘッドをコントロールするコントロール用ＰＣからなる眼科画像生成システムであっても、装置自体の操作によって撮影種別が決定できる構成を維持したまま、上流から決定される検査依頼項目に従った撮影が出来き、かつ撮影時点でも臨機応変にその手技、撮影倍率・撮影部位（左右眼の交替を含む）・撮影枚数を選び最適な撮影条件を決定できる。
【００１１】
さらには、常に眼底カメラヘッドが撮影種別選択の主導権を握るよう構成することに加え、電子撮像ではなくフィルム撮影にも用いられる共通のパラメータを撮影ヘッド側で管理・制御することにより、フィルム撮影を行う場合に眼底カメラヘッド単体での動作が可能となり、電子撮像を行わない従来の眼底カメラとの操作性を一致させることが出来るばかりか前記コントロールＰＣは前記撮影種別情報を有する検査依頼情報を生成又は受信する検査依頼管理手段により前記撮影種別情報を発生するシステムとの矛盾の無い両立を図ることが出来る。
【００１２】
加えて、検査依頼に記述された撮影種別かどうかの確認を行い、異なる場合には検査依頼外の撮影を行って良いか確認する画面を表示し、この画面に対する検者の応答によって動作は分岐させれば、ことによりさらに操作ミスの減少を図ることが出来る。
【発明を実施するための最良の形態】
【００１３】
(実施例１)
以下、添付図面を参照しながら本発明の実施の形態を詳細に説明する。図１は本発明に依る実施例である眼底カメラシステムの一例である。眼底を撮影する眼底カメラヘッド１とコントロール用ＰＣ２はデータ転送のための通信経路３で接続されている。眼底カメラヘッド１で撮影された画像はこの通信経路３を経由してコントロールＰＣ２へ転送されるが、その他この通信経路３は眼底カメラヘッドとコントロール用ＰＣ間の種々の情報のやり取りに用いられる。コントロール用ＰＣ２はさらにローカルエリアネットワーク４を経由して、検査依頼情報を生成・管理する上位システム５、画像を恒久的に保存するための画像サーバ６に接続され、検査のはじめに上位システム５の管理する検査依頼情報の入手や、一時保管した撮影画像を患者情報などの付帯情報と関連付け、画像サーバ６に登録するなどの動作を行う。ここで、上位システム５は不可欠ではなく、もしこれが無い場合には、コントロール用ＰＣ２が検査依頼情報を生成できるように構成することも可能である。
【００１４】
又、図１では眼底カメラヘッドには電子撮像素子を有する複数の撮影装置７、８が装着されているが、それだけではなくフィルム撮影が可能なフィルム撮影装置の装着を可能とし、これらが装着されている場合にはコントロールＰＣ２の制御と独立したフィルム撮影が可能なように構成することも出来る。このようにフィルム撮影も可能とするシステムとすることは従来からある眼底カメラの撮影操作との一致を行う上で効果がある。眼底カメラヘッド１下部の操作パネルおよびコントロールＰＣには、これから行う撮影の種別（詳しくは後述する）を選択するための操作部１０、１１がそれぞれ用意される。コントロール用ＰＣの操作部１１は本実施例ではＰＣのキーボードとしたが、実際にはＰＣ上で起動されているアプリケーションプログラムを操作する操作部を意味し、物理的にはマウスなど他のポインティングディバイスでも良いが、実際にはアプリケーションプログラムが選択を促すためにディスプレイ上に表示した選択肢（例えば１２のごとくの選択テーブル表示ウインドウ）を選択するものである。
【００１５】
図２に眼底カメラヘッドの構造断面図を示す。図２において、被検眼１０１からハロゲンランプ等の観察用光源１０２に向かう光路Ａには対物レンズ１０３、前眼／眼底切り替えレンズユニット１０４、中心開口を有する孔あきミラー１０５、角膜バッフル１０６、リレーレンズ１０７、水晶体バッフル１０８、紫外線カットフィルター１０９、可視蛍光撮影用エキサイタ１１０、ＩＣＧ蛍光撮影用エキサイタ１１１、小瞳孔径に対応するために複数配置された、円環状開口部を有するリングスリットユニット１１２、第１コンデンサーレンズ１１３、ストロボ発光するキセノンランプ等の眼底撮影用光源１１４、第２コンデンサーレンズ１１５、前眼観察用光源１０２の背面には凹面反射鏡１１６が順次に配列されている。孔あきミラー１０５の背後の光路Ｂ上には、可視蛍光撮影用バリアフィルタ１１７、フォーカスレンズ１１８、撮影レンズ１１９、第一の可倒ミラー１２０、そしてＣＣＤ等の電子撮像素子１２１で眼底像を撮影するための眼底撮影装置１２２が配置され、眼底撮影装置１２２の撮影画像出力は、撮影制御部１２９へ送られる。また、第一の可倒ミラー１２０により切り替えられる光軸Ｃ上には、第二の可倒ミラー１２３、接眼レンズ１２４を有するファインダーがある。さらに、第二の可倒ミラー１２３により切り替えられる光軸Ｄ上には、ミラー１２５、ＩＣＧ撮影用バリアフィルタ１２６、ＣＣＤ等の電子撮像素子１２７で前眼部を観察するための動画像撮像装置１２８が配置され、動画像撮像装置１２８の動画像出力は、撮影制御部１２９へ送られる。
【００１６】
撮影制御部１２９には、眼底撮影装置１２２、動画像撮像装置１２８の他、該眼底撮影装置１２２で撮影された画像データを一時保管する撮影画像記録装置１３０、表示装置１３１、操作桿１３２に設けられた撮影釦１３３、コントロール用ＰＣとのインタフェース装置１３４、そして眼底撮影用光源１１４の発光光量制御装置１３５が接続されている。
【００１７】
以上の構成からなる眼底カメラヘッドの実際の動作は、撮影者が下記撮影種別（１）〜（４）を選択することで決定される。
【００１８】
（１）ＣＯＬＯＲ
可視光を用いたフルカラー撮影。観察用光源１０２からの観察像光束は、リングスリットユニット１１２にて円環状光束となり、孔あきミラー１０５で反射され、対物レンズ１０３を通り、被検眼１０１の眼底を照明する。眼底からの反射像は対物レンズ１０３、孔あきミラー１０５の孔部、フォーカスレンズ１１８、撮像レンズ１１９、第一の可倒ミラー１２０、第二の可倒ミラー１２３、接眼レンズ１２４を通ったファインダー画像となる。
【００１９】
さらに、撮影者はピント合わせ、撮影部位の確認、フレアの有無を確認しながら撮影釦１３３を押すと、第一可倒ミラー１２０は光路Ｂ外へ退避し、眼底撮影用光源１１４が発光し、その光束は観察時と同様に被検眼１０１を照明し、眼底像は対物レンズ１０３、孔空きミラー１０５の開口部、フォーカスレンズ１１８、撮影レンズ１１９を通って眼底撮影装置１２２の電子撮像素子１２１上に静止画像として結像し、撮影画像記録装置１３０へ記録される。
【００２０】
撮影画像記録装置１３０へ記録された眼底像は、表示装置１３１へ表示されるとともに、インタフェース装置３４を介してコントロール用ＰＣ（２）へ転送される。本撮影種別では、該転送時間を考慮して１フレーム／３秒程度の撮影間隔が許されている。
【００２１】
（２）ＦＡ（連写モード）
可視光を用いた蛍光撮影。被検者に可視波長域の発光色素を静注後、照明系光学経路にエキサイタ、撮影系光学経路にバリアフィルタを挿入し、眼底血管の血管造形像を最大１枚／秒に相当する連写を行う撮影法。
【００２２】
観察用光源１０２からの観察像光束は、リングスリットユニット１１２にて円環状光束とされた後、可視蛍光撮影用エキサイタ１１０により励起用の特定波長光が選択され、孔あきミラー１０５で反射され、対物レンズ１０３を通り、被検眼１０１の眼底を照明する。該照明光により励起された発色色素は励起波長域により長波長側にシフトした蛍光を発生し、血管を造像する。この血管像は対物レンズ１０３、孔あきミラー１０５の孔部を通過後、蛍光波長域のみを透過する可視蛍光撮影用バリアフィルタ１１７にて蛍光のみが選択された後、フォーカスレンズ１１８、撮像レンズ１１９、第一の可倒ミラー１２０、第二の可倒ミラー１２３、接眼レンズ１２４を通ったファインダー画像となる。
【００２３】
さらに、撮影者はファインダー像を観察しながらピント合わせ、撮影部位の確認、フレアの有無確認を行い、撮影釦１３３を押すと、第一可倒ミラー１２０は光路Ｃ外へ退避し、眼底撮影用光源１１４が発光し、その光束は観察時と同様に被検眼１０１を照明し、眼底像は対物レンズ１０３、孔空きミラー１０５の開口部、可視蛍光撮影用バリアフィルタ１１７、フォーカスレンズ１１８、撮影レンズ１１９を通って動画像撮像装置１２２の電子撮像素子１２１上に結像し、撮影画像記録装置１３０へ記録される。この記録は最大１フレーム／秒での繰り返しが可能である。このように撮影された眼底像は静止画像フレーム毎に表示装置１３１に表示されるとともに、インタフェース装置３４を介してコントロール用ＰＣ（２）へ転送される。
【００２４】
（３）ＦＡ（高精細モード）
（２）と同様の可視光を用いた蛍光撮影である。
【００２５】
本撮影種別では、（２）とは異なり、撮影画像記録装置１２８へ記録される画像データは、より場合高精細な静止画像であり、表示装置１２９に表示されるとともに、インタフェース装置１２８を介してコントロール用ＰＣ（２）へ転送される。本撮影種別では、該転送時間を考慮して１フレーム／３秒程度の撮影間隔が許されている。
【００２６】
（４）ＩＣＧ
近赤外線を用いた蛍光撮影。被検者に近赤外波長域の発光色素を静注後、照明系光学経路にエキサイタ、撮影系光学経路にバリアフィルタを挿入し、眼底血管の血管造形像を最大１枚／秒に相当する連写を行う撮影法。
【００２７】
観察用光源１０２からの観察像光束は、リングスリットユニット１１２にて円環状光束となり、ＩＣＧ蛍光撮影用エキサイタ１１１により励起用の特定波長光が選択され、孔あきミラー１０５で反射され、対物レンズ１０３を通り、被検眼１０１の眼底を照明する。該照明光により励起された発色色素は励起波長域により長波長側にシフトした蛍光を発生し、血管を造像する。この血管像は対物レンズ１０３、孔あきミラー１０５の孔部、フォーカスレンズ１１８、撮像レンズ１１９、第一の可倒ミラー１２０を通る。ＩＣＧ動画像観察時には、第二の可倒ミラー１２３が破線部へ退避することで、観察像光源は光軸Ｄを通り、ミラー１２５、ＩＣＧ撮影用バリアフィルタ１２６を通って動画像撮像装置１２８の電子撮像素子１２７上に結像する。該結像した眼底像は表示装置１３１へ表示される
さらに、撮影者は表示装置１３１に映された眼底像を観察しながらピント合わせ、撮影部位の確認、フレアの有無確認を行い、撮影釦１３３を押すと、眼底撮影用光源１１４が発光し、その光束は観察時と同様に被検眼１０１を照明し、眼底像は対物レンズ１０３、孔空きミラー１０５の開口部、フォーカスレンズ１１８、撮影レンズ１１９、第一の可倒ミラー１２０、ミラー１２５、ＩＣＧ撮影用バリアフィルタ１２６を通って眼底撮影装置１２８の電子撮像素子１２７上に結像した眼底像が、撮影画像記録装置１３０へ、静止画像として記録される。撮影画像記録装置１３０へ記録された該静止画像は、表示装置１３１に表示される。
【００２８】
尚、撮影種別が選択されると、選択した撮影種別に従った撮像パラメータは、コントロール用ＰＣ（２）から読み出され、眼底撮影装置１２２、動画像撮像装置１２８、撮影画像記録装置１３０、および発光光量制御装置１３５へ設定されること、撮影後に撮影した画像データとともに、インタフェース装置１３４を介してコントロール用ＰＣ（２）へ装置の機体ナンバー、右目左眼の区別、撮影画角、撮影時刻など眼底カメラヘッドの撮影情報とともに転送されるという２つの動作は上述の各モードにおいて共通である。
【００２９】
以下に上述の４つの撮影種別をどのように決定するかとその後の共通処理について説明する。まず、コントロールＰＣ２から撮影種別が決定される場合を示す。図３は上流システムにて管理される検査情報がコントロールＰＣ２上に、検査一覧として表示されたウィンドウであり、検査一覧テーブルには、被検者である患者ＩＤと（３０２）、撮影管理情報（３０３）、撮影対象眼〔左／右〕（３０４）が表示されている。従って、検査依頼に既に撮影種別が指定されている場合においては、この検査一覧から次に行う検査（３０５）を選択することにより、検査種別が自動的に選択され、コントロール用ＰＣ（３０２）から眼底カメラへ撮影種別およびこれに従属する撮影パラメータが転送されることになる。また検査情報に指定が無い３０６のような場合には、その場でプルダウンメニューの操作によっても撮影種別の決定可能である。本実施例ではコントロール用ＰＣからの撮影種別の決定方法に以上２種類を記したが、実際には検査依頼を管理する上流システムの種々の構成や、病院施設での運用方法によって、この二種からの選択・組み合わせで運用を決めることになる。たとえば検査種別を記入しない運用形態の場合や、検査依頼をコントロール用ＰＣそのもので行う場合には、すべてコントロール用ＰＣから撮影種別を決定するよう構成し、逆に検査依頼で全ての検査に検査種別の記入が義務付けられる運用形態では、次に行う検査そのものを選択するだけとなる。以上のコントロール用ＰＣからの撮影種別の選択のほかに、本発明によるシステムでは、眼底カメラヘッド側からの選択も可能である。図４は眼底カメラヘッド操作パネル４００上に配された撮影種別の選択スイッチであり、基本的に撮影種別として上述のカラー４０１・ＦＡ  ４０２・ＩＣＧ  ４０３の３種類を選択するスイッチが３つ用意されている。尚、操作パネル４００上にはその他の操作を行う、たとえば蛍光色素の静注時刻を装置に記憶するためのタイマースイッチなどが同様に配置されている。上述の撮影種別であるＦＡ１とＦＡ２の選択は基本的にＦＡというモードの中の切り替えであるため、ＦＡ４０２が押された場合にのみ有効となる１というスイッチ４１１と、２というスイッチ４１２が用意され、ＦＡが押された場合にディフォールトで１が有効となるよう構成されている。２のスイッチはオペレータが必要に応じて適時選択する。すなわち、検者は本機能を用いて『ＦＡ１』にて血管造影初期の毎秒１フレームを撮影した後、より高精細な画像を記録する場合に、適時撮影種別を切り替え、高解像度、低画像圧縮率の高精細画像を記録する。該切り替えた記録では３秒に１フレームの撮影しか行えないが、血管造影の後期においては、造影剤が眼底に廻りきっているため、高速な繰り返し撮影は不要であるため、本切り替え撮影は有効である。このように本システムでは、撮影種別の選択は、コントロール用ＰＣ２と眼底カメラヘッド１の双方から可能であるが、基本的にはコントロールＰＣ２からの操作が原則となる。
【００３０】
以上説明した撮影種別の選択がいずれかの方法で行われた後、検者は前述の操作を行い各種の撮影を行うことになるが、コントロール用ＰＣで管理される撮影種別の設定により定義された撮影パラメータのほか、眼底カメラヘッド側で管理・制御される光路の切り替えや、各種フィルターの挿脱、撮影装置の切り替え、発光量の調節も同時に行われる。ここで眼底カメラ側で管理・制御されるパラメータは、電子撮像ではなくフィルム撮影にも用いられる共通のパラメータで、このようなパラメータを眼底カメラヘッド側で管理・制御することにより、フィルム撮影を行う場合に眼底カメラヘッド単体での動作が可能となるばかりか、電子撮像を行わない従来の眼底カメラとの操作性を一致させることが出来るのである。（尚、双方の選択に矛盾が生じた場合の処理については後述する。）撮影が終了すると今度は眼底カメラヘッドは前述の如くコントロール用ＰＣへ通信経路を介して、画像データとともに、装置の機体ナンバー、右目左眼の区別、撮影画角、撮影時刻など眼底カメラヘッドの装置撮影情報を転送する。コントロール用ＰＣはコントロール用ＰＣ自体が管理している患者情報や検査種別などの含まれた検査情報と撮影情報と画像データを関連付けて保存し、必要に応じて外部の画像サーバへ恒久保存用のデータを転送するのである。
【００３１】
図５はコントロール用ＰＣ（２）が管理する眼底カメラの撮像パラメータを変更するウィンドウを示す。撮影パラメータ５０１は撮影種別（ＣＯＬＯＲ／ＦＡ１／ＦＡ２／ＩＣＧ）に従属するグループとして構成されているが、ここで各パラメータについて簡単に説明しておく。
【００３２】
・ＩＳＯ
撮像素子の感度を設定する。ここでは１００／２００。４００。８００／１０００から選択する。
【００３３】
・ＣＯＮＴＲＡＳＴ
コントラストの強さを設定する。
【００３４】
・ＳＨＡＲＰＮＥＳＳ
エッジ強調処理の強さを設定する。
【００３５】
・ＤＡＲＫＮＥＳＳ
明るさの微補正量を設定する。
【００３６】
・ＨＵＥ
色合いを設定する。
【００３７】
・ＷＨＩＴＥ  ＢＡＬＬＡＮＣＥ
ホワイトバランスを設定する。２０００Ｋ〜１００００Ｋの範囲で設定する。
【００３８】
また、『Ｂ／Ｗ』を選択すると、撮像素子がカラー画像を撮像した場合でも、モノクロ変換し、モノクロ画像として記録する。
【００３９】
・ＥＸＰＯＳＵＲＥ
露出の補正値を、−２／−１、５／−１／−０、５／０／＋０、５／＋１／＋１、５／＋２から選択する。
【００４０】
・ＩＭＡＧＥ  ＳＩＺＥ
撮影画像の解像度をＬＡＲＧＥ／ＭＩＤＤＬＥ／ＳＭＡＬＬから選択する。
【００４１】
・ＱＵＡＬＩＴＹ
画像を記録する際の圧縮率を、ＦＩＮＥ／ＮＯＲＭＡＬ／ＲＡＷから選択する。
【００４２】
・最小撮影間隔
ＩＭＡＧＥ  ＳＩＺＥとＱＵＡＬＩＴＹ  から決定、または推測される画像ファイルサイズと、コントロール用ＰＣ〜眼底カメラ間のファイル転送速度から決定される最小の撮影間隔を自動的に計算して表示する。
【００４３】
・ＬＥＶＥＬ
発光光量の補正値を−１０〜＋１０の範囲で設定する。
【００４４】
次に本実施例の撮影種別の決定方法を図６を用い順を追って説明する。コントロール用ＰＣ（２）上で検査一覧が表示される６０１と、検者はその一覧から次の検査を選択する６０２ことが出来る。この選択が行われると、この検査情報にかかれている検査種別に従って、眼底カメラヘッドに撮影種別の変更依頼が通知される。眼底カメラヘッドはそれを受け、撮影種別に従った撮影モードを設定する６０３。すなわち、光路の切り替えや、各種フィルターの挿脱の手順、撮影装置の切り替え、発光量の調節など眼底カメラヘッド側で管理・制御される項目である。これらの設定が完了すると今度は眼底カメラヘッドからコントロール用ＰＣへ向けて、撮影種別の変更が通知される。コントロール用ＰＣはこの通知を受け、コントロール用ＰＣでの画像の受け取り方法や、ユーザインターフェースを切り替えるなどの処理をした後、前述の撮影モードによって決定される従属する撮影パラメータファイルを参照し、眼底カメラヘッドへその内容を通知する。眼底カメラヘッドはその内容をヘッド内に設定６０６した後、さらに眼底カメラ側の撮影パラメータ操作を禁止した上で。撮影スイッチの入力による撮影を待つ６０５ことになる。次に眼底カメラヘッド側より撮影種別の変更がかかる場合を説明する。眼底カメラヘッドはその操作パネル３００にある撮影種別の選択スイッチの操作により、撮影種別の変更が可能なことは前述のとおりである。眼底カメラヘッドはその入力に従い、撮影種別に従った撮影モードを設定する６１０。これらの設定が完了後コントロール用ＰＣへ向けて、撮影種別の変更が通知される６１１。コントロール用ＰＣはこの通知を受け、検査依頼に記述された撮影種別かどうかの確認を行い、異なる場合には検査依頼外の撮影を行って良いか確認する画面を表示する６１２。この画面に対する検者の応答によって動作は分岐するが、もし検査依頼外の操作を望まない場合には眼底カメラヘッドに対する操作ミスと判断し、検査依頼の一覧表示へ戻る６０１、もしく撮影種別の最選択を促すメッセージを表示する。検査依頼を基準にフローを形成している本実施例では、登録済みの検査一覧表示へ戻る分岐を作ることが望ましいが、例えば上流システムが無くコントロール用ＰＣ自体で検査依頼を発行するよう形成したシステムにおいては、ここで検査依頼の受付を行うよう構成することも出来る。さて、もし検査依頼外の操作を望むと検者が操作を行った場合にコントロール用ＰＣは、コントロール用ＰＣから撮影種別を選択した場合と同様に、画像の受け取り方法や、ユーザインターフェースを切り替えるなどの処理をした後、前述の撮影モードによって決定される従属する撮影パラメータファイルを参照し、眼底カメラヘッドへその内容を通知する。ここでコントロール用ＰＣはさらに、同一検査内に新たな画像グループ形成の準備を行う。ここでいう画像グループとは、撮影後に画像を参照する場合に、特定の画像にたどり着く家庭において一括して判断できる複数画像の集合体を言う。撮影の種別は検査依頼に記述されていることを前提とした本実施例では、各々の検査に対して、この撮影種別によって作られる画像グループは、原則ひとつである。しかし、ここで眼底カメラヘッド側から検査依頼への記述と異なる撮影種別が設定された場合このような場合には同一の検査内に撮影種別の異なる２つの画像グループが生成されることになる。このような画像グループを形成することは、当日の検査においてどのような種別の撮影が行われたかが、理解しやすいばかりでなく、特定の画像を検者が検索する場合においても有効な検索キーとして利用できるなど、操作性の向上に多大な効果がある。その後、眼底カメラヘッドはその内容をヘッド内に設定した後、眼底カメラ側の撮影パラメータ操作を禁止した上で。撮影スイッチの入力による撮影を待つ６１４ことになることは先の動作６０５−６０６と同様である。その後、眼底カメラヘッドの操作桿１３２にある撮影釦が操作されると、実際の撮影が行われ、画像データが眼底カメラヘッドによって収集された装置情報と関連付けて送信される６１５。コントロール用ＰＣはこれを受け新たな画像グループとして画像の登録を行う６１６。
【００４５】
以上の検査一覧表示６０１から撮影待ち６０６の動作と検査種別の変更６１０から撮影待ち６１４の２種類の撮影種別変更の動作は、順不同で行うことが出来るが、本発明のシステムではこの一連の動作において、撮影種別の決定権は必ず、眼底カメラヘッドにあり、コントロール用ＰＣから出される通知はあくまで眼底カメラヘッドへの撮影種別の変更依頼とされている。このため、眼底カメラが例えばフィルム撮影を行うようなコントロール用ＰＣと切り離され単独動作を行う場合であっても、その動作に矛盾を生じることは無い。またその動作において、コントロール用ＰＣ、眼底カメラヘッド双方がお互いの装置の状態を確認できる通信を付加しておけば、より一層安定したシステムを構築することが出来る。
【００４６】
前述した画像グループの形成には、撮影種別以外に画像データともに送られる眼底カメラヘッドによって収集された装置情報、すなわち右目左眼の区別、撮影画角などの利用も可能である。ここでは左右眼の種別により画像グループを形成する例を、図７・８を用いて説明する。図７は眼底カメラヘッド２を上方から見た図と検者側から見た図である。装置の基台７０１に操作桿１３２により図中矢印方向に摺動可能にコントロールパネル３００と光学部を保持するステージ７０２が設けられている。さらにステージ７０２には上下方向に調整可能に対物レンズ１０３やファインダ１２４など光学系がマウントされた筐体７０３が用意され、撮影される被検者の右眼７０４もしくは、左眼７０５に対し、対物レンズの光軸７０５の調整が可能である。実際の撮影は検者がファインダ１２４を通し、被検眼を観察しながら操作幹１３２を操作し、この位置調整がなされた後に行われる。この右眼・左眼の選択が行われると基台７０１につけられた段差に従い、ステージ７０２に取り付けられたローラ７１０が上下する、するとこのローラ７１０を保持する、回転軸７１１に対し稼動に設けられたアーム７１２が図示しないＳＷをＯＮ／ＯＦＦし、ステージ７１２が右眼撮影位置にあるのか、左眼撮影位置にあるのかを検知することが出来る。その後の動作については図８を用いて説明する。眼底カメラヘッドは、この検知器の出力を用い、次に撮影される画像が右眼のものか左眼のものかを判断８０１して、その変更を通知する。コントロール用ＰＣはその通知を受け、撮影種別の判断の場合と同様に、検査依頼に記述された左右眼の区別かどうかの確認を行い、異なる場合には検査依頼外の撮影を行って良いか確認する画面を表示する８０２。この画面に対する検者の応答によって動作は分岐するが、もし検査依頼外の操作を望まない場合には眼底カメラヘッドに対する操作ミスと判断し、再びステージ位置の修正を促す警告を表示する、もしくは検査依頼の一覧表示へ戻る６０１動作となる。もし検査依頼に左右眼の支持が無い場合にや、検査依頼外の操作を望むと検者が操作を行った場合にコントロール用ＰＣは、同一検査内に左右眼新たな画像グループ形成の準備を行う。その後、眼底カメラヘッドの操作桿１３２にある撮影釦が操作されると、実際の撮影８０４が行われ、画像データが眼底カメラヘッドによって収集された装置情報（左右眼の種別を含む）と関連付けて送信される。コントロール用ＰＣはこれを受け新たな画像グループとして画像の登録を行う８０５ことになる。この実施例では、眼底カメラヘッドは撮影に先立って左右眼の情報を送信しているが、この確認は不可欠ではなく、撮影後に送信されてくる装置情報の中の左右眼の種別に従って、新たな画像グループの形成・画像グループへの登録を行うように構成することも可能である。
【００４７】
尚、以上の実施例では眼底カメラについてなされているが、フォトスリットランプなどの他の眼科撮影装置でも同様な効果を適用することができる。
【図面の簡単な説明】
【００４８】
【図１】本実施例に係わる実施例の構成図である。
【図２】本実施例に係わる実施例の構造断面図である。
【図３】本実施例に係わるコントロール用ＰＣにおける撮影種別の選択画面を示す図である。
【図４】本実施例に係わる眼底カメラヘッドにおける撮影種別の選択スイッチを示す図である。
【図５】本実施例に係わるコントロール用ＰＣ上で管理される撮影パラメータファイルの内部構成イメージ図である。
【図６】本実施例に係わる実施例における撮影種別の選択操作によりシステムの状態を決定する動作の説明図である。
【図７】本実施例に係わる眼底カメラヘッドにおける左右眼の検知機構の構成図である。
【図８】左右眼の検知機構により画像グループを生成する動作の説明図である。
【符号の説明】
【００４９】
１  眼底カメラヘッド
２  コントロール用ＰＣ
３  眼底カメラヘッドとコントロール用ＰＣの間をつなぐ通信路
４  システムが接続されているＬＡＮ
５  検査依頼を発生・管理する上流システム
１０１  被検眼
１０３  対物レンズ
１０５  孔あきミラー
１１０  可視蛍光撮影用エキサイタ
１１１  ＩＣＧ蛍光撮影用エキサイタ
１１２  リングスリットユニット
１１４  眼底撮影用光源
１１７  可視蛍光撮影用バリアフィルタ
１１９  撮像レンズ
１２０  第一の可倒ミラー
１２１  電子撮像素子
１２２  眼底撮影装置
１２３  第二の可倒ミラー
１２４  接眼レンズ
１２６  ＩＣＧ撮影用バリアフィルタ
１２７  電子撮像素子
１２８  動画像撮像装置
１２９  撮影制御部
１３０  撮影画像記録装置
１３１  表示装置
１３２  操作桿
１３３  撮影釦
１３４  コントロール用ＰＣとのインタフェース装置
１３５  発光光量制御装置
３０１  コントロール用ＰＣ上の撮影管理情報メインウィンドウ画面
３０２  患者ＩＤ設定フィールド
３０３  撮影種別管理情報設定フィールド
３０４  撮影対象眼設定フィールド
３０５  検査項目Ｎｏ。選択フィールド
４００  眼底カメラヘッドの操作パネル
４０１  撮影種別選択スイッチ
７０１  眼底カメラヘッド基台
７０２  眼底カメラヘッド摺動台
７１０  左右検知ローラ
【図１】
2005094538.tif 000003
【図２】
2005094538.tif 000004
【図３】
2005094538.tif 000005
【図４】
2005094538.tif 000006
【図５】
2005094538.tif 000007
【図６】
2005094538.tif 000008
【図７】
2005094538.tif 000009
【図８】
2005094538.tif 000010